(57)【要約】【課題】キャップ収容部が容器本体の回収箱の外部に露出することがなく、通行や容器本体を回収箱に入れる際の邪魔になることがなくて、更に見た目も良く、投入したキャップが跳ね返ってキャップ収容部から出てしまったり、振動等によってキャップ収容部に収容されたキャップが外へ飛び出してしまったりするのを防止できるキャップ付容器の分別回収箱を提供する。【解決手段】キャップ収容部２１は上面が開口する比較的深い容器状で、金網から成る主部２３と、主部２３の上端部に一体に設けられた環状部２５から成り、環状部２５の上端部にはフランジ２７が形成されている。キャップ収容部２１は容器本体収容部３の開口１５に挿入され、フランジ２７が支持部１７の上面に係止して、キャップ収容部２１は吊り下げ状態に支持されている。この状態ではキャップ収容部２１は、開口が容器本体収容部３の天板１２から露出し、且つ容器本体収容部３に入り込んでいる。【選択図】        図１
2012035927.tif 000002
【特許請求の範囲】
【請求項１】
キャップ付容器の容器本体を収容する容器本体収容部と、前記容器本体収容部に形成された投入口と、前記キャップ付容器のキャップが収容されるキャップ収容部とを具備するキャップ付容器の分別回収箱において、
前記キャップ収容部は上面が開口する容器状で、前記キャップ収容部は開口が前記容器本体収容部の天板から露出し、且つ前記容器本体収容部に入り込んだ状態で備えられており、しかも前記キャップ収容部は前記容器本体収容部に対し着脱自在であることを特徴とするキャップ付容器の分別回収箱。
【請求項２】
請求項１に記載したキャップ付容器の分別回収箱において、
容器本体収容部の天板を覆うカバーが着脱自在に備えられ、前記カバーのキャップ収容部の開口に対向する部分にはキャップ投入穴が形成されていることを特徴とするキャップ付容器の分別回収箱。
【請求項３】
請求項２に記載したキャップ付容器の分別回収箱において、
キャップ投入穴はキャップ１個が通過できるサイズに形成されていることを特徴とするキャップ付容器の分別回収箱。
【発明の詳細な説明】
【技術分野】
【０００１】
本発明はペットボトル等のキャップ付容器の分別回収箱に係り、特に容器本体とキャップとを分別して回収するためのキャップ付容器の分別回収箱に関するものである。
【背景技術】
【０００２】
ペットボトルに入れられた飲料を飲み終わり、ペットボトルを捨てる際にはプラスチックをリサイクルし易くする観点等から容器本体とキャップとを分別することが望ましい。
ところで、ペットボトル入りの飲料の自動販売機の近傍には回収箱が備えられている。この回収箱は容器本体のみを回収するものであり、キャップを回収するためには回収箱とは別に例えば特許文献１に示すペットボトルキャップ用分別収集箱を回収箱の前面等に装着する。
【先行技術文献】
【特許文献】
【０００３】
【特許文献１】実用新案登録第３１０８８９６号公報
【発明の概要】
【発明が解決しようとする課題】
【０００４】
しかしながら、上記従来のペットボトルキャップ用分別収集箱は、容器本体の回収箱の前面に突出状態に取り付けて使用するものなので、回収箱以外の余分なスペースが必要になる。そのため通行の邪魔になるおそれがあり、更に容器本体を回収箱に入れる際の邪魔になるおそれもある。しかも、ペットボトルキャップ用分別収集箱が容器本体の回収箱の前面から突出して備えられると見た目も良くないという問題もある。
また、ペットボトルキャップ用分別収集箱は上面が開口する比較的浅い箱状を為しているので、キャップを投入すると、キャップが箱の底面に当たって跳ね返って箱から出てしまうおそれがある。しかも、回収箱に加わった振動等によってペットボトルキャップ用分別収集箱に収容されたキャップが外へ飛び出してしまうおそれもある。
【０００５】
本発明は上記従来の問題点に着目して為されたものであり、キャップ収容部が容器本体の回収箱の外部に露出することがなく、通行や容器本体を回収箱に入れる際の邪魔になることがなくて、更に見た目も良く、投入したキャップが跳ね返ってキャップ収容部から出てしまったり、振動等によってキャップ収容部に収容されたキャップが外へ飛び出してしまったりするのを防止できるキャップ付容器の分別回収箱の提供を、その目的とする。
【課題を解決するための手段】
【０００６】
本発明は上記課題を解決するためになされたものであり、請求項１の発明は、キャップ付容器の容器本体を収容する容器本体収容部と、前記容器本体収容部に形成された投入口と、前記キャップ付容器のキャップが収容されるキャップ収容部とを具備するキャップ付容器の分別回収箱において、前記キャップ収容部は上面が開口する容器状で、前記キャップ収容部は開口が前記容器本体収容部の天板から露出し、且つ前記容器本体収容部に入り込んだ状態で備えられており、しかも前記キャップ収容部は前記容器本体収容部に対し着脱自在であることを特徴とするキャップ付容器の分別回収箱である。
【０００７】
請求項２の発明は、請求項１に記載したキャップ付容器の分別回収箱において、容器本体収容部の天板を覆うカバーが着脱自在に備えられ、前記カバーのキャップ収容部の開口に対向する部分にはキャップ投入穴が形成されていることを特徴とするキャップ付容器の分別回収箱である。
【０００８】
請求項３の発明は、請求項２に記載したキャップ付容器の分別回収箱において、キャップ投入穴はキャップ１個が通過できるサイズに形成されていることを特徴とするキャップ付容器の分別回収箱である。
【発明の効果】
【０００９】
本発明のキャップ付容器の分別回収箱によれば、キャップ収容部が容器本体の回収箱の外部に露出することがなく、通行や容器本体を回収箱に入れる際の邪魔になることがなくて、更に見た目も良く、投入したキャップが跳ね返ってキャップ収容部から出てしまったり、振動等によってキャップ収容部に収容されたキャップが外へ飛び出してしまったりするのを防止できる。
【図面の簡単な説明】
【００１０】
【図１】本発明の実施の形態に係るキャップ付容器の分別回収箱の斜視図である。
【図２】図１のキャップ付容器の分別回収箱の分解斜視図である。
【図３】図１のキャップ付容器のカバーを裏側から見た斜視図である。
【図４】カバーを容器本体収容部に装着した状態を示す側面図である。
【発明を実施するための形態】
【００１１】
本発明の実施の形態に係るキャップ付容器の分別回収箱１を図面にしたがって説明する。
図１、図２において符号３は容器本体収容部を示し、この容器本体収容部３は本体５と蓋体７によって構成されている。本体５はある程度の高さ寸法を有する略角型の箱状を為しており、この本体５は上面に開口部８を有している。開口部８の周縁には枠状の被嵌合部９が形成されている。
【００１２】
蓋体７は底面に開口部１０を有しており、この開口部１０の周縁には枠状の嵌合部１１が形成されている。この嵌合部１１が被嵌合部９に嵌められて蓋体７は本体５に装着されている。
蓋体７の前板には投入口１３が形成されている。また、蓋体７の天板１２には円形の開口１５が形成されており、この開口１５の周縁には上方へ向かって延びる支持部１７が形成されている。支持部１７の外周面には溝１９が形成されている。
【００１３】
符号２１はキャップ収容部を示し、このキャップ収容部２１は上面が開口する比較的深い容器状で、金網から成る主部２３と、この主部２３の上端部に一体に設けられた環状部２５とから成っている。環状部２５の上端部にはフランジ２７が形成されている。
キャップ収容部２１は容器本体収容部３の開口１５に挿入され、フランジ２７が支持部１７の上面に係止して、キャップ収容部２１は吊り下げ状態に支持されている。この状態ではキャップ収容部２１は、開口が容器本体収容部３の天板１２から露出し、且つ容器本体収容部３に入り込んでいる。
【００１４】
符号２９はカバーを示し、このカバー２９にはキャップ投入穴３１が形成されており、キャップ投入穴３１はキャップ収容部２１の開口に対向している。このキャップ投入穴３１は直径４．５ｃｍの丸穴によって構成され、キャップ付容器としてのペットボトルのキャップＣ１個が通過できるサイズとなっている。なお、キャップＣの直径は約３ｃｍである。
【００１５】
図３に示すようにカバー２９の裏面には筒状部３３が一体に形成され、この筒状部３３は蓋体７の支持部１７よりも一回り大きい径寸法に設定されている。筒状部３３の内周面には、１つの爪３５が一体に形成されている。図４に示すように爪３５は支持部１７の溝１９に嵌め入れられており、カバー２９は容器本体収容部３の天板１２を覆う状態となっている。
【００１６】
このようにキャップ収容部２１は容器本体収容部３の外部に露出することがなく、容器本体収容部３以外の余分なスペースを必要としないので、通行の邪魔になることがない。しかも、キャップ収容部２１が外部に露出していないので、キャップ付容器の分別回収箱１全体は、見た目のよいものとなっている。
【００１７】
次に、キャップ付容器の分別回収箱１の使用方法を説明する。
キャップ収容部２１は容器本体収容部３の外部に露出していないので、ペットボトルの容器本体Ｙを容器本体収容部３に入れる際に邪魔になることはない。
図１に示すようにペットボトルを捨てる際には、容器本体ＹとキャップＣとを分離してから、容器本体Ｙを投入口１３に投入し、また、キャップＣをキャップ投入穴３１に投入する。これにより容器本体Ｙは容器本体収容部３に収容され、キャップＣはキャップ収容部２１に収容される。
【００１８】
前述したようにキャップ収容部２１は比較的深い容器状を為しており、しかも容器本体収容部３にはカバー２９が装着されている。従って、投入したキャップＣが跳ね返ってキャップ収容部２１から出てしまうのを防止することができる。また、キャップ付容器の分別回収箱１に振動等が加わっても、この振動等によってキャップ収容部２１に収容されたキャップＣが外へ飛び出してしまうのも防止することが可能である。
【００１９】
キャップ収容部２１に収容されたキャップＣを回収する場合には、カバー２９を少し横にずらしながら持ち上げる。前述したように爪３５は１つだけなので、容器本体収容部３からカバー２９を容易に外すことができる。そして、キャップ収容部２１を容器本体収容部３から取り出す。キャップＣをキャップ収容部２１から取り出してから、キャップ収容部２１を容器本体収容部３に装着し、カバー２９を容器本体収容部３に装着する。
【００２０】
容器本体収容部３に収容された容器本体Ｙを回収する場合には、蓋体７の嵌合部１１を本体５の被嵌合部９から外して、蓋体７を本体５から外す。そして、容器本体Ｙを本体５から取り出してから、蓋体７を本体５に装着する。
なお、容器本体収容部３に容器本体Ｙがいっぱいになる頃にキャップ収容部２１にキャップＣがいっぱいになるので、容器本体ＹとキャップＣを同時に回収することができる。
【００２１】
以上、本発明の実施の形態について詳述してきたが、具体的構成は、この実施の形態に限られるものではなく、本発明の要旨を逸脱しない範囲における設計の変更などがあっても発明に含まれる。
上記実施の形態では、キャップ付容器をペットボトルとしたが、キャップ付容器はペットボトルに限定されない。
また、キャップ収容部２１の主部２３を金網によって構成したが、主部２３を、例えば袋によって構成してもよい。
【産業上の利用可能性】
【００２２】
本発明はキャップ付容器の分別回収箱の製造業に利用可能である。
【符号の説明】
【００２３】
１…キャップ付容器の分別回収箱      ３…容器本体収容部
５…本体      ７…蓋体      ８、１０…開口部
９…被嵌合部      １１…嵌合部      １２…天板      １３…投入口
１５…開口      １７…支持部      １９…溝
２１…キャップ収容部      ２３…主部      ２５…環状部
２７…フランジ      ２９…カバー      ３１…キャップ投入穴
３３…筒状部      ３５…爪
Ｃ…キャップ      Ｙ…容器本体
【図１】
2012035927.tif 000003
【図２】
2012035927.tif 000004
【図３】
2012035927.tif 000005
【図４】
2012035927.tif 000006